(57)【要約】【課題】電気部品を取り付けるに際し、コスト及び工数の削減を図ることができる取付構造及び自動変速機用配線ユニットを提供する。【解決手段】自動変速機用配線ユニット１０は、ＲＯＭ６０（電気部品）がスライドする摺動面１３を有するプレート１１を備える。プレート１１は、ＲＯＭ６０のスライド方向に沿って配置され、ＲＯＭ６０をガイドするガイド部２１と、ＲＯＭ６０にスライド方向前方で当接して、ＲＯＭ６０のスライド動作を停止させるストッパ部１９と、ＲＯＭ６０がプレート１１の摺動面１３から離れる方向に変位するのを規制する離反規制部２２と、ＲＯＭ６０にスライド方向後方で当接して、ＲＯＭ６０の戻り方向の変位を規制する戻り規制部２５と、を有する。【選択図】図１
2018148063.tif 000002
【特許請求の範囲】
【請求項１】
電気部品がスライドする摺動面を有するプレートを備え、
前記プレートが、
前記電気部品のスライド方向に沿って配置され、前記電気部品をガイドするガイド部と、
前記電気部品に前記スライド方向前方で当接して、前記電気部品のスライド動作を停止させるストッパ部と、
前記電気部品が前記プレートの前記摺動面から離れる方向に変位するのを規制する離反規制部と、
前記電気部品に前記スライド方向後方で当接して、前記電気部品の戻り方向の変位を規制する戻り規制部と、を有することを特徴とする電気部品の取付構造。    
【請求項２】
前記戻り規制部と、前記電気部品がスライド過程で前記戻り規制部と干渉する部分の、少なくとも一方は、弾性変形可能とされている請求項１記載の電気部品の取付構造。
【請求項３】
前記プレートが前記摺動面を有するプレート本体を有し、
前記ガイド部、前記ストッパ部、前記離反規制部及び前記戻り規制部が、前記プレート本体から連続する板状部分によって構成される請求項１又は２記載の電気部品の取付構造。
【請求項４】
前記プレートには前記スライド方向に沿ったスライド溝が設けられ、前記電気部品には、前記スライド溝を貫通する脚部と、前記脚部の先端から屈曲する形態の係止爪とが設けられ、
前記ガイド部及び前記ストッパ部が、前記脚部と当接可能な前記スライド溝の溝面によって構成され、
前記離反規制部が、前記プレートの裏面側において前記係止爪と対向する前記スライド溝の開口縁部によって構成され、
前記戻り規制部が、前記プレートの裏面側に突出して前記係止爪に前記電気部品の戻り方向で当接可能な突部によって構成される請求項１又は２記載の電気部品の取付構造。
【請求項５】
請求項１ないし４のいずれか１項記載の電気部品の取付構造を含む自動変速機用配線ユニットであって、
前記プレートが、自動車の自動変速機に搭載され、前記摺動面とは別に電線を保持する電線保持面を有することを特徴とする自動変速機用配線ユニット。
【発明の詳細な説明】
【技術分野】
【０００１】
本発明は、電気部品の取付構造及び自動変速機用配線ユニットに関する。
【背景技術】
【０００２】
特許文献１に開示された自動変速機の配線ユニットは、ワイヤハーネスと、ワイヤハーネスに接続されるＲＯＭなどの電気部品と、ワイヤハーネス及び電気部品を保持する金属製の保持プレートとを備えている。保持プレートには、電気部品が載置される保持部が設けられている。保持部には、複数のかしめ片が設けられ、電気部品は、各かしめ片にかしめられ、保持部上に固定される。
【先行技術文献】
【特許文献】
【０００３】
【特許文献１】特開２０１４−１９９０６８号公報
【発明の概要】
【発明が解決しようとする課題】
【０００４】
ところで、上記の場合、保持部上に電気部品を載置した後、各かしめ片を電気部品にかしめる作業を行わねばならない。このため、専用設備が必要でコストが高くなるのに加え、かしめ加工（曲げ加工）を行う分、工数が増加するという問題がある。
【０００５】
本発明は上記のような事情に基づいて完成されたものであって、電気部品を取り付けるに際し、コスト及び工数の削減を図ることができる取付構造及び自動変速機用配線ユニットを提供することを目的とする。
【課題を解決するための手段】
【０００６】
本発明は、電気部品がスライドする摺動面を有するプレートを備え、前記プレートが、前記電気部品のスライド方向に沿って配置され、前記電気部品をガイドするガイド部と、前記電気部品に前記スライド方向前方で当接して、前記電気部品のスライド動作を停止させるストッパ部と、前記電気部品が前記プレートの前記摺動面から離れる方向に変位するのを規制する離反規制部と、前記電気部品に前記スライド方向後方で当接して、前記電気部品の戻り方向の変位を規制する戻り規制部と、を有するところに特徴を有する。
【発明の効果】
【０００７】
電気部品は、ガイド部によって左右方向（プレートの面方向と平行で且つスライド方向と直交する方向）への変位が規制され、ストッパ部によってスライド方向前方への変位が規制され、離反規制部によって上方（プレートの面方向及びスライド方向と直交する方向）への変位が規制され、戻り規制部によってスライド方向後方への変位が規制され、もってプレートに変位規制状態に取り付け固定される。取り付けに際し、プレートの摺動面に電気部品をスライドさせるだけで良く、かしめ加工を省略することができるから、コスト及び工数の削減を図ることができる。
【図面の簡単な説明】
【０００８】
【図１】本発明の実施例１において、電気部品としてのＲＯＭがプレートに取り付けられた状態を示す斜視図である。
【図２】プレートの斜視図である。
【図３】プレートの平面図である。
【図４】ＲＯＭがプレートに取り付けられる途中の状態を示す平面図である。
【図５】ＲＯＭがプレートに取り付けられた状態を示す平面図である。
【図６】電線保持面の部分を含むプレートの側面図である。
【図７】本発明の実施例２におけるプレートの斜視図である。
【図８】ＲＯＭの斜視図である。
【図９】プレートに対してＲＯＭがスライド開始位置に設置された状態を示す底面図である。
【図１０】プレートに対してＲＯＭがスライド完了位置に向けてスライドする途中の状態を示す底面図である。
【図１１】プレートに対してＲＯＭがスライド完了位置に至った状態を示す底面図である。
【図１２】プレートに対してＲＯＭがスライド開始位置に設置された状態を示す側面図である。
【図１３】プレートに対してＲＯＭがスライド完了位置に向けてスライドする途中の状態を示す側面図である。
【図１４】プレートに対してＲＯＭがスライド完了位置に至った状態を示す側面図である。
【発明を実施するための形態】
【０００９】
本発明の好ましい形態を以下に示す。
前記戻り規制部と、前記電気部品がスライド過程で前記戻り規制部と干渉する部分の、少なくとも一方は、弾性変形可能とされているとよい。これによれば、電気部品のスライド方向後方への変位を弾性変形可能な構造によって比較的簡単に規制することができる。
【００１０】
前記プレートが前記摺動面を有するプレート本体を有し、前記ガイド部、前記ストッパ部、前記離反規制部及び前記戻り規制部が、前記プレート本体から連続する板状部分によって構成されるとよい。これによれば、ガイド部、ストッパ部、離反規制部及び戻り規制部をプレート本体から容易に製造することができる。また、電気部品に、プレートに取り付けるための特別な構造を新設する必要がなく、電気部品の構造が複雑にならずに済む。
【００１１】
前記プレートには前記スライド方向に沿ったスライド溝が設けられ、前記電気部品には、前記スライド溝を貫通する脚部と、前記脚部の先端から屈曲する形態の係止爪とが設けられ、前記ガイド部及び前記ストッパ部が、前記脚部と当接可能な前記スライド溝の溝面によって構成され、前記離反規制部が、前記プレートの裏面側において前記係止爪と対向する前記スライド溝の開口縁部によって構成され、前記戻り規制部が、前記プレートの裏面側に突出して前記係止爪に前記電気部品の戻り方向で当接可能な突部によって構成されるとよい。これによれば、プレートに電気部品を取り付けるための突片部分を設ける必要がなく、プレートの構造が複雑、大型化するのを回避することができる。
【００１２】
また、本発明は、上記構成の電気部品の取付構造を含む自動変速機用配線ユニットであって、前記プレートが、自動車の自動変速機に搭載され、前記摺動面とは別に電線を保持する電線保持面を有するところに特徴を有する。これによれば、プレートが電気部品に加えて電線を保持する機能を兼備することができる。
【００１３】
＜実施例１＞
本発明の実施例１を図１〜図６によって説明する。本実施例１は、配線ユニット１０に搭載される電気部品としてのＲＯＭ６０の取付構造を例示するものである。配線ユニット１０は、詳細は図示しないが、自動車の自動変速機に設けられ、変速動作に関連する制御の一部を担う。
【００１４】
図６に示すように、配線ユニット１０は、金属製の板材を曲げ加工して形成される金属製のプレート１１を備えている。プレート１１は、図示しない複数本の電線を保持する平面状の電線保持面１２と、電線保持面１２とは別位置において、ＲＯＭ６０をスライド装着する平面状の摺動面１３とを有している。電線保持面１２は、各電線の配索方向に沿って細長く延出する形態とされている。各電線は、図示しない結束バンドにより結束されてプレート１１に固定される。
【００１５】
ＲＯＭ６０は、変速動作に関連するデータを記憶する媒体であって、図１に示すように、平面視矩形の扁平ブロック状を呈している。本実施例１の場合、市販のＲＯＭ６０が用いられる。詳細は図示しないが、ＲＯＭ６０の後面（後述するスライド方向後方の面）に、電線の一端部が接続される。
【００１６】
図２に示すように、プレート１１の摺動面１３は、ＲＯＭ６０と対応する平面視矩形状のプレート本体１４に設けられている。プレート本体１４は、ＲＯＭ６０のスライド方向前方において摺動面１３を区画する左右方向に沿った前縁１５と、ＲＯＭ６０のスライド方向側方において摺動面１３を区画する前後方向に沿った側縁１６と、ＲＯＭ６０のスライド方向後方において摺動面１３を区画する左右方向に沿った後縁１７とを有している。前縁１５及び後縁１７は互いに平行に配置され、両側縁１６は互いに平行に配置される。また、後縁１７は、この後縁１７から下向きに屈曲して連なる連結部１８を介して電線保持面１２の位置する側と連続している。
【００１７】
図２に示すように、プレート１１は、プレート本体１４の前縁１５から屈曲して立ち上がるストッパ部１９と、プレート本体１４の両側縁１６から屈曲して立ち上がる左右一対のガイド部２１とを有している。一方、プレート１１は、プレート本体１４の後縁１７から屈曲して立ち上がる部分を有していない。
【００１８】
ストッパ部１９は、正面視矩形状をなし、プレート本体１４の前縁１５の左右中央部に略直角に屈曲して連なる形態になっている。両ガイド部２１は、側面視矩形状をなし、前後方向において互いに位置ずれして配置されり。両ガイド部２１のうち、一方はプレート本体１４の一側縁１６の前縁１５寄りの部位に略直角に屈曲して連なり、他方はプレート本体１４の他側縁１６の後縁１７寄りの部位に略直角に屈曲して連なる形態になっている。ストッパ部１９及び両ガイド部２１は、互いにほぼ同一の立ち上がり寸法を有し、それぞれの上端の高さ位置を揃えて構成される。
【００１９】
また、プレート１１は、ストッパ部１９及び両ガイド部２１のそれぞれの上端から内側に屈曲して張り出す離反規制部２２と、両ガイド部２１の後端上部から後方へ連続して延出する延出部２３と、延出部２３の延出端（後端）から内側に屈曲して張り出す戻り規制本体部２４とを有している。延出部２３と戻り規制本体部２４とにより本発明の戻り規制部２５が構成される。
【００２０】
各離反規制部２２は、対応するストッパ部１９及び両ガイド部２１のそれぞれと同一の板幅寸法を有する平面視矩形状をなし、板厚方向を上下に向けて摺動面１３とほぼ平行に対面して配置される。両ガイド部２１の上端から屈曲した左右両側の離反規制部２２は、ストッパ部１９の上端から屈曲した前側の離反規制部２２よりも張り出し寸法が少し小さくされている。延出部２３は、前後方向に長い側面視矩形状をなし、板厚方向を左右に向けて板面がガイド部２１の板面と段差無く連続する形態になっている。
【００２１】
両戻り規制本体部２４は、延出部２３と同一の板幅寸法を有する正面視矩形状をなし、板幅方向を上下に向けて下端が摺動面１３とほぼ平行に対向して配置される。図３に示すように、両戻り規制本体部２４は、先端（張り出し端）へ向けて前方に傾斜するように平面視テーパ状の形態になっている。
【００２２】
図２に示すように、ストッパ部１９と前側の離反規制部２２とは、プレート本体１４の前縁１５から延出する部分を順次略直角に折り曲げ加工して形成される。同様に、ガイド部２１と左右両側の離反規制部２２とは、プレート本体１４の側縁１６から延出する部分を順次略直角に折り曲げ加工して形成される。また、延出部２３と戻り規制本体部２４とは、ガイド部２１の後方に延出する部分を直角に折り曲げ加工して形成される。よって、ストッパ部１９、ガイド部２１、離反規制部２２、延出部２３及び戻り規制本体部２４は、プレート本体１４から連続する曲げ加工によって一体に形成されることになる。
【００２３】
組み付けに際し、ＲＯＭ６０がプレート１１の後方からストッパ部１９へ向けて押し込まれる。すると、ＲＯＭ６０の前面（スライド方向前方の面）が両戻り規制本体部２４と干渉し、両戻り規制本体部２４がＲＯＭ６０に押圧されてテーパ形状に従って拡開変形させられる。このとき、両戻り規制本体部２４に連なる延出部２３がガイド部２１寄りの部位を支点として弾性変形させられる。図４に示すように、押し込み動作が進むと、ＲＯＭ６０の下面がプレート本体１４の摺動面１３を摺動し、且つＲＯＭ６０の両側面（スライド方向側方の面）が両ガイド部２１に沿って摺動可能に案内される。また、左右両側の離反規制部２２がＲＯＭ６０の上面に対向してＲＯＭ６０の摺動面１３からの浮き上がりが規制される。このＲＯＭ６０のスライド過程では、両戻り規制本体部２４の先端がＲＯＭ６０の両側面と干渉し、延出部２３が弾性変形させられた状態が維持される。
【００２４】
図５及び図１に示すように、ＲＯＭ６０が正規の組み付け位置に至ると、ＲＯＭ６０の下面全体がプレート本体１４の摺動面１３に当接して支持されるとともに、ＲＯＭ６０の前面がストッパ部１９に当接し、ＲＯＭ６０のそれ以上の押し込みが規制される。また、ＲＯＭ６０が正規の組み付け位置に至ると、両戻り規制本体部２４の先端がＲＯＭ６０の両側面から解離し、両延出部２３が弾性的に復帰して、両戻り規制本体部２４の先端がＲＯＭ６０の後面に当接可能に配置され、ＲＯＭ６０の後方への戻り移動が規制される。さらに、ＲＯＭ６０の上面には左右両側の離反規制部２２に加えて前側の離反規制部２２が対向して当接可能に配置され、もってＲＯＭ６０の摺動面１３からの浮き上がりが確実に規制される。さらにまた、ＲＯＭ６０の両側面に両ガイド部２１が対向して当接可能に配置され、ＲＯＭ６０の左右両側への位置ずれが規制される。かくして、ＲＯＭ６０がプレート１１に対して前後、上方及び左右への変位を規制された状態で取り付けられる。
【００２５】
以上のとおり、本実施例１によれば、ＲＯＭ６０がストッパ部１９、ガイド部２１、離反規制部２２及び戻り規制部２５によってプレート１１に変位規制状態に取り付け固定される。この際、プレート１１の摺動面１３にＲＯＭ６０をスライドさせる作業を行うだけで良く、かしめ加工を省略することができるから、かしめ加工に要するコスト及び工数の削減を図ることができる。
【００２６】
また、戻り規制部２５が弾性変形可能とされているから、比較的簡単な構造でＲＯＭ６０の後方への変位を規制することができる。
【００２７】
さらに、ガイド部２１、ストッパ部１９、離反規制部２２及び戻り規制部２５がプレート本体１４から連続する板状部分によって構成されるため、製造の容易性を担保することができる。また、ＲＯＭ６０に、プレート１１に取り付けるための特別な構造を新設する必要がないから、ＲＯＭ６０の構造が複雑にならずに済む。
【００２８】
さらにまた、ＲＯＭ６０を取り付けたプレート１１は、自動変速機用の配線ユニット１０に搭載されるものであって、摺動面１３とは別に電線を保持する電線保持面１２を有するため、摺動面１３及び電線保持面１２が別々の部材に設けられるよりも、部品点数を削減することができ、全体の構造の簡略化を図ることができる。
【００２９】
＜実施例２＞
図７〜図１２は、本発明の実施例２を示す。実施例２は、実施例１と違って、プレート本体１４Ａの前縁１５Ａ及び両側縁１６Ａから屈曲して立ち上がる部分を有さず、ＲＯＭ６０Ａの構造も実施例とは異なる。その他の部分は、実施例１と同様である。なお、図示を省略したが、プレート本体１４Ａの後縁１７Ａには、実施例１と同様に連結部１８が下向きに屈曲して連なる形態になっている。
【００３０】
図８に示すように、ＲＯＭ６０Ａは、平面視矩形の扁平ブロック状のＲＯＭ本体６１と、ＲＯＭ本体６１の下面の左右両端部から下方に突出する左右一対の係止片６２とからなる。両係止片６２は、正面視Ｌ字形の板状をなし、基端側においてＲＯＭ本体６１の下面から垂下する脚部６３と、先端側において脚部６３の下端から互いに近づくように略水平に突出する係止爪６４とを有している。係止爪６４は、底面視矩形状をなし、ＲＯＭ本体６１の下面と対向する対向面６５を有している。図１２〜図１４に示すように、係止爪６４の対向面６５は、スライド方向後方へ向けて次第にＲＯＭ本体６１の下面に近づくように直線状に傾斜する形態になっている。なお、図９〜図１１に示すように、実施例２のＲＯＭ６０Ａのスライド方向は、プレート本体１４Ａの摺動面１３における回転軸ＲＣの軸回り方向に規定される。
【００３１】
図７に示すように、プレート本体１４Ａは、全体が平面視矩形の平板状を呈している。プレート本体１４Ａの中心部の適宜位置には１つの回転軸ＲＣが設定されている。
【００３２】
プレート本体１４Ａは、回転軸ＲＣを中心とする周方向に沿った平面視円弧状のスライド溝３１を有している。スライド溝３１は、回転軸ＲＣを挟んだ対称位置に対をなし、それぞれ略９０度の角度範囲でプレート本体１４Ａに貫設されている。両スライド溝３１の周方向一端には、係止片６２を挿通可能なように溝幅を拡張した挿通口３２が設けられている。さらに、図９及び図１２に示すように、プレート本体１４Ａの下面（裏面）には、両スライド溝３１の周方向他端寄りで且つ両スライド溝３１と近接する位置に、四角突状の一対の突部２５Ａ（戻り規制部）が設けられている。
【００３３】
ここで、ＲＯＭ６０Ａは、上方からプレート本体１４Ａに引き下ろされ、スライド開始位置に留め置かれる。図１２に示すように、スライド開始位置では、ＲＯＭ本体６１がプレート本体１４Ａの摺動面１３Ａに支持され、且つ両係止片６２が両挿通口３２に挿通されて、係止爪６４がプレート本体１４Ａの下方（裏面側）に突出して臨む。その状態で、ＲＯＭ６０Ａがスライド開始位置からスライド完了位置へ向けて回転軸ＲＣの軸周りに回転させられる。すると、脚部６３がスライド溝３１の両側溝面２１Ａ（ガイド部）を摺動して、ＲＯＭ６０Ａのスライド動作が案内される。また、図１０に示すように、係止爪６４がプレート本体１４Ａの下面におけるスライド溝３１の開口縁部２２Ａ（離反規制部）に対向して配置されることで、ＲＯＭ６０Ａの摺動面１３Ａからの浮き上がりが規制される。
【００３４】
ＲＯＭ６０Ａがスライド完了位置に至る直前には、図１３に示すように、係止爪６４の対向面６５の内側に突部２５Ａが進入し、さらなるスライド動作によって係止爪６４の対向面６５に突部２５Ａが摺動して、係止片６２が少し撓み変形させられる。ＲＯＭ６０Ａがスライド完了位置に至ると、係止爪６４が突部２５Ａを乗り越えて係止片６２が弾性的に復帰し、図１４に示すように、係止爪６４の後面が突部２５Ａと当接可能に対向して配置される。これにより、ＲＯＭ６０Ａがスライド開始位置へと戻る方向に変位するのが規制される。また、脚部６３の前面がスライド溝３１の周方向他端側（奥側）の溝面１９Ａ（ストッパ部）に当接することで、ＲＯＭ６０Ａのそれ以上のスライド動作が規制される。さらに、係止爪６４がプレート本体１４Ａの下面におけるスライド溝３１の開口縁部２２Ａに対向して配置される状態も維持される。
【００３５】
以上のように、本実施例２の場合、プレート１１Ａに、スライド方向に沿ったスライド溝３１が設けられ、ＲＯＭ６０Ａに、スライド溝３１を貫通する脚部６３と、脚部６３の先端から屈曲する形態の係止爪６４とが設けられ、ガイド部が脚部６３と摺動可能なスライド溝３１の両側溝面２１Ａによって構成され、ストッパ部が脚部６３にスライド方向前方で当接可能なスライド溝３１の奥側の溝面１９Ａによって構成され、離反規制部がプレート１１の裏面側において係止爪６４と対向するスライド溝３１の開口縁部２２Ａによって構成され、戻り規制部がプレート１１の裏面側に突出して係止爪６４にＲＯＭ６０Ａの戻り方向で当接可能な突部２５Ａによって構成される。このため、プレート１１にＲＯＭ６０Ａを取り付けるための突片部分が設けられることがなく、プレート１１の構造が複雑、大型化するのを回避することができる。
【００３６】
また、ＲＯＭ６０Ａの係止片６２が戻り規制部２５となる突部２５Ａと干渉して弾性変形するため、比較的簡単な構造でＲＯＭ６０Ａの後方への戻り移動を規制することができる。
【００３７】
＜他の実施例＞
本発明の他の実施例を簡単に説明する。
（１）本発明は、電気部品がセンサやコネクタなどの場合にも適用可能である。
（２）戻り規制部と戻り規制部と干渉する部分の双方が弾性変形可能とされるものであってもよい。
（３）実施例１では、戻り規制本体部と延出部とが互いに略直角に連なる形態であってもよい。
（４）実施例２では、スライド溝が前後方向に延出して設けられ、ＲＯＭのスライド方向が前後方向に直線状をなすものであってもよい。
【符号の説明】
【００３８】
１０…配線ユニット
１１…プレート
１３、１３Ａ…摺動面
１４、１４Ａ…プレート本体
１９、１９Ａ…ストッパ部
２１、２１Ａ…ガイド部
２２、２２Ａ…離反規制部
２５…戻り規制部
３１…スライド溝
３３…突部
６０、６０Ａ…ＲＯＭ（電気部品）
６３…脚部
６４…係止爪
【図１】
2018148063.tif 000003
【図２】
2018148063.tif 000004
【図３】
2018148063.tif 000005
【図４】
2018148063.tif 000006
【図５】
2018148063.tif 000007
【図６】
2018148063.tif 000008
【図７】
2018148063.tif 000009
【図８】
2018148063.tif 000010
【図９】
2018148063.tif 000011
【図１０】
2018148063.tif 000012
【図１１】
2018148063.tif 000013
【図１２】
2018148063.tif 000014
【図１３】
2018148063.tif 000015
【図１４】
2018148063.tif 000016